(57)【要約】【課題】現行の技術の制限を受けないＮＣＢチャネルを提供する。【解決手段】少なくとも１つのｅＮＢ（ｅｖｏｌｖｅｄ  Ｎｏｄｅ−Ｂ：無線基地局）と、複数のＷＴＲＵ（無線送信／受信ユニット）とを含む無線通信システムにおいて、ＮＣＢ（非競合ベース）チャネルが、確立され、維持され、利用される。ＮＣＢチャネルは、様々な機能における利用のためにシステムにおける１つまたは複数のＷＴＲＵによって使用されるように割り当てられ、この割り当ては、それらのＷＴＲＵに通信される。無線通信システムは、必要に応じて、ＮＣＢチャネルの割り当てを解析し、ＮＣＢチャネルは、必要に応じて、再割り当てされる。【選択図】図３
2014068374.tif 000002
【特許請求の範囲】
【請求項１】
ＷＴＲＵ(無線送信／受信ユニット）のための方法であって、
ｅＮＢ（ｅノードＢ）からＮＣＢ（非競合ベース）チャネル割当を受信することであって、前記ＮＣＢチャネル割当は、第１の設定と第２の設定とを含み、前記第１の設定は、第１の周期性を含み、前記ＷＴＲＵに対する送信スケジュールを確立して第１の制御機能を実行し、前記第２の設定は、第２の周期性を含み、前記ＷＴＲＵに対する送信スケジュールを確立して第２の制御機能を実行すること、
前記第１の制御機能に関連付けられた第１の制御情報を、前記ＮＣＢチャネル割当により示された前記第１の周期性に関連付けられた間隔で送信すること、および
前記第２の制御機能に関連付けられた第２の制御情報を、前記ＮＣＢチャネル割当により示された前記第２の周期性に関連付けられた間隔で送信すること
を備えたことを特徴とする方法。
【請求項２】
前記第１の周期性は、前記第２の周期性と異なることを特徴とする請求項１に記載の方法。
【請求項３】
前記第１の制御機能に関連付けられた第１の制御情報を、前記ＮＣＢチャネル割当により示された前記第１の周期性に関連付けられた間隔で送信することは、前記ＷＴＲＵ専用の物理リソース上で前記第１の制御情報を送信することを特徴とする請求項１に記載の方法。
【請求項４】
前記第１の制御機能は、スケジュール要求を送信することであり、前記第２の制御機能は、チャネル品質情報を報告することであることを特徴とする請求項１に記載の方法。
【請求項５】
前記第１の制御情報または前記第２の制御情報の１つまたは複数とともに第３の制御情報を送信するステップをさらに備え、前記第３の制御情報は、ＨＡＲＱ（混成自動再送要求）フィードバックであることを特徴とする請求項１に記載の方法。
【請求項６】
ＮＣＢ（非競合ベース）チャネルの割り当てを受信すること、および
前記ＮＣＢチャネルを介して制御情報を伝送すること
を備えたことを特徴とする方法。
【発明の詳細な説明】
【技術分野】
【０００１】
本発明は、無線通信システムに関する。より詳細には、本発明は、無線通信システムにおいて非競合ベースのチャネルを提供するため、および利用するための方法および装置に関する。
【背景技術】
【０００２】
ＷＣＤＭＡ（広帯域符号分割多元接続）３Ｇ（第３世代）セルラーネットワークのＬＴＥ（Ｌｏｎｇ  Ｔｅｒｍ  Ｅｖｏｌｕｔｉｏｎ）は、３ＧＰＰ（第３世代パートナーシッププロジェクト）Ｒｅｌｅａｓｅ  ７を超えるＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍｓ）を対象とする。また、ＬＴＥは、Ｅ−ＵＴＲＡ（ｅｖｏｌｖｅｄ  ＵＭＴＳ  Ｔｅｒｒｅｓｔｒｉａｌ  ｒａｄｉｏ  ａｃｃｅｓｓ）とも呼ばれることが可能である。そのようなネットワークの主な技術的課題の１つは、システムにおいて様々なトラフィックの混合が存在する場合の効率的なチャネル使用である。このことは、様々なタイプのトラフィックが、ＶｏＩＰ（ボイスオーバインターネットプロトコル）、ＦＴＰ（ファイル転送プロトコル）、またはＨＴＴＰ（ハイパーテキスト転送プロトコル）などの異なる伝送プロトコルを利用する場合、特に困難である可能性がある。例えば、任意の特定の無線通信システムにおいて、皆、同時に伝送する多数のＶｏＩＰユーザ、ＦＴＰユーザ、およびＨＴＴＰユーザが存在することが可能である。
【０００３】
さらに、システムにおけるＷＴＲＵ（無線送信／受信ユニット）は、基地局と通信するために伝送媒体へのアクセスを要求する様々なタスクおよび機能を実行する。例えば、ＷＴＲＵは、タイミングアドバンス（ｔｉｍｉｎｇ  ａｄｖａｎｃｅ）、測定値報告、ＵＬ（アップリンク）物理リソース割り当てを要求すること、ＤＬ（ダウンリンク）割り当てに関するスケジュール情報を提供すること、キープアライブハートビート（ｋｅｅｐ−ａｌｉｖｅ  ｈｅａｒｔｂｅａｔ）、ＨＡＲＱ（混成自動再送要求）フィードバック、および／またはＭＡＣ（メディアアクセス制御）層シグナリングまたはＲＲＣ（無線リソース制御）層シグナリングなどの機能を実行しなければならない。
【０００４】
無線通信システムのＷＴＲＵは、基地局と通信して、これらの機能を実行するために、ＲＡＣＨ（ランダムアクセスチャネル）およびＰＲＡＣＨ（物理ＲＡＣＨ）を利用することもできる。しかし、ＲＡＣＨは、競合ベースのチャネルであり、ＲＡＣＨの使用は、ＱｏＳ（サービス品質）に影響を及ぼしがちな遅延を被り、物理リソースの非効率な使用をもたらす可能性がある。また、伝送間の対話型アプリケーションに関してＲＡＣＨを頼りにすることは、システム容量に悪影響を及ぼす可能性もある。
【０００５】
代替として、ＷＴＲＵは、ＵＬ共有チャネルを利用して、これらの機能を実行することもできる。しかし、ＵＬ共有チャネルリソース要求は、ＲＡＣＨ／ＰＲＡＣＨにまず伝送されなければならず、このことは、リソースの非効率な使用であり、この２ステップの手続きのため、これらの機能に遅延を加える。
【０００６】
ＬＴＥの文脈において、「シン（ｔｈｉｎ）」チャネルまたは「専用」チャネルとも呼ばれることが可能な、ＮＣＢ（非競合ベースの）チャネルなどのアクセスプロトコルを利用することが望ましい。シンチャネルは、一般に、アクセスのために主に使用される競合がない、または競合が少ない制御チャネルである。
【発明の概要】
【発明が解決しようとする課題】
【０００７】
したがって、当技術分野の現行の技術の制限を受けないＮＣＢチャネルを提供するため、および利用するための方法および装置を提供することが有利である。
【課題を解決するための手段】
【０００８】
本発明は、少なくとも１つのｅＮＢ（Ｅｖｏｌｖｅｄ  Ｎｏｄｅ−Ｂ:無線基地局）と、複数のＷＴＲＵ（無線送信／受信ユニット）とを含む無線通信システムにおけるＮＣＢ（非競合ベースの）チャネルの確立、維持、および利用を対象とする。各ＮＣＢチャネルは、様々な機能で利用するためにシステムにおける或る特定のＷＴＲＵによる使用に専用であり、そのような使用に割り当てられ、この割り当ては、ｅＮＢによってシステムにおけるＷＴＲＵに通信される。無線通信システムは、必要に応じて、各ＮＣＢチャネルの割り当てを解析し、各ＮＣＢチャネルは、必要に応じて、再割り当てされる。
【０００９】
本発明のより詳細な理解は、例として与えられ、添付の図面と併せて理解されるべき、好ましい実施形態の以下の説明から得ることができる。
【図面の簡単な説明】
【００１０】
【図１】本発明に従って構成された例示的な無線通信システムを示す図である。
【図２】図１の無線通信システムのｅＮＢおよびＷＴＲＵを示す機能ブロック図である。
【図３】本発明による、或る特定のＷＴＲＵに対してＮＣＢ（非競合ベースの）チャネルを確立するため、および維持するための方法を示す流れ図である。
【図４】本発明による、複数のＷＴＲＵへのＮＣＢチャネル割り当てを示す例示的な時間周波数チャートである。
【図５】本発明による、ＮＣＢチャネルを使用してタイミングアドバンスを判断するための方法を示す流れ図である。
【図６】本発明の別の実施形態による、ＮＣＢチャネルを使用してスケジューリング変更を判断するための方法を示す流れ図である。
【図７】本発明の別の実施形態による、ＮＣＢチャネルを使用してリソースを割り当てる方法を示す流れ図である。
【図８】図６の方法による、リソースの割り当てを示す例示的な時間周波数チャートである。
【図９】本発明による複数のサブチャネルを含むシステムにおける周波数ダイバーシチＮＣＢチャネルの割り当てを示す例示的なブロック図である。
【図１０】本発明の実施形態による、時間−周波数ホッピングＮＣＢチャネルの割り当てを示す例示的な時間周波数チャートである。
【図１１】本発明の実施形態によるＷＴＲＵに関する異なるＮＣＢチャネル要件を示す例示的な図である。
【発明を実施するための形態】
【００１１】
以降で言及される際、「無線送信／受信ユニット（ＷＴＲＵ）」という用語には、ユーザ機器（ＵＥ）、移動局（ＳＴＡ）、メッシュポイント（ＭＰ）、固定受信契約者ユニットもしくは移動受信契約者ユニット、ポケットベル、携帯電話（セルラー電話機）、パーソナルデジタルアシスタント（ＰＤＡ:携帯情報端末）、コンピュータ、または無線環境において動作することができる他の任意のタイプのユーザデバイスが含まれるが、以上には限定されない。以降で言及される際、「基地局」という用語には、ノードＢ、サイトコントローラ、アクセスポイント（ＡＰ）、または無線環境において動作することができる他の任意のタイプのインタフェースデバイスが含まれるが、以上には限定されない。
【００１２】
総じて、本発明は、ＮＣＢ（非競合ベースの）専用チャネルを確立するため、維持するため、および利用するための方法および装置を対象とする。ＮＣＢチャネルは、本発明の好ましい実施形態において、或る特定の時間中に使用するために或る特定のＷＴＲＵに専用であるチャネルであり、システムニーズに応じて再割り当てされることが可能である。ＮＣＢチャネル利用は、ＵＬ競合ベースの手続きに関連する待ち時間、および物理リソースの非効率な使用を回避することに役立つ可能性があり、さらに、ダウンリンクにおいて、またはアドホックネットワークにおいて使用されることも可能である。
【００１３】
図１は、本発明に従って構成された例示的な無線通信システム１００（以降、「システム」とも呼ばれる）を示す。無線通信システム１００は、複数のｅＮＢ（ｅｖｏｌｖｅｄ  Ｎｏｄｅ−Ｂ）１１０（ｅＮＢ1およびｅＮＢ2として示される）、およびｅＮＢ１１０と無線通信する複数のＷＴＲＵ１２０（ＷＴＲＵ1、ＷＴＲＵ2、ＷＴＲＵ3、およびＷＴＲＵ4として示される）を含む。無線通信システム１００に示されるＷＴＲＵ１２０は、ＳＴＡ、ＭＰなどのＷＴＲＵの任意の組合せを含むことが可能である。好ましい実施形態では、ｅＮＢ１１０は、ｅＮＢ１１０と通信するＷＴＲＵ１２０（ＷＴＲＵ1、ＷＴＲＵ2、ＷＴＲＵ3、およびＷＴＲＵ4）にネットワークへのアクセスを提供する。図１における例示的な構成に示されるとおり、ＷＴＲＵ1、ＷＴＲＵ2、およびＷＴＲＵ3は、現在、ｅＮＢ1と通信しているのに対して、ＷＴＲＵ4は、現在、ｅＮＢ2と通信している。しかし、ＷＴＲＵ１２０のいずれも、図１に示されるものとは別に、ｅＮＢ１１０のいずれとも通信していることが可能である。
【００１４】
図２は、図１の無線通信システム１００のｅＮＢ１１０およびＷＴＲＵ１２０の機能ブロック図である。図２に示されるとおり、ｅＮＢ１１０とＷＴＲＵ１２０は、互いに無線通信しており、無線通信システム１００におけるＮＣＢチャネルを利用するように設定される。一例では、ＷＴＲＵ１２０は、ＷＴＲＵ１２０にネットワークへのアクセスを提供するｅＮＢ１１０と通信している移動ＳＴＡまたはＭＰであることが可能である。
【００１５】
通常のｅＮＢ内部に見られることが可能な構成要素に加え、ｅＮＢ１１０は、プロセッサ１１５、受信機１１６、送信機１１７、およびアンテナ１１８を含む。プロセッサ１１５は、本発明に従ってＮＣＢチャネルを確立し、維持し、利用するように設定される。受信機１１６および送信機１１７は、プロセッサ１１５と通信する。アンテナ１１８は、受信機１１６と送信機１１７の両方と通信して、無線データの送受信を円滑にする。
【００１６】
同様に、通常のＷＴＲＵ内部に見られることが可能な構成要素に加えて、ＷＴＲＵ１２０も、プロセッサ１２５、受信機１２６、送信機１２７、およびアンテナ１２８を含む。プロセッサ１２５は、本発明に従ってＮＣＢチャネルを確立し、維持し、利用するように設定される。受信機１２６および送信機１２７は、プロセッサ１２５と通信する。アンテナ１２８は、受信機１２６と送信機１２７の両方と通信して、無線データの送受信を円滑にする。
【００１７】
図３は、本発明による、或る特定のＷＴＲＵに対してＮＣＢチャネルを確立するため、および維持するための方法３００の流れ図である。ステップ３１０で、ＮＣＢチャネルが、確立され、割り当てられる。ＮＣＢチャネルは、ｅＮＢ１１０によって設定されることが可能である。例えば、ネットワーク事業者が、ｅＮＢ１１０によって、ＮＣＢチャネル設定を判断するのに使用され、さらにＮＣＢチャネルが確立される際、および再設定される際に使用される、いくつかのＲＲＭ（無線リソース管理）パラメータを特定することが可能である。
【００１８】
ＮＣＢチャネルの確立の際、チャネルの持続時間および周期性が、設定されることが可能である。好ましい実施形態では、持続時間は、無限であることが可能である。さらに、システムまたはＷＴＲＵ１２０は、割り当てられたＮＣＢチャネルを終了させる、または再設定する能力を有することが可能である。無限の場合において、ｅＮＢ１１０またはＷＴＲＵ１２０からのシグナリングが、ＮＣＢチャネル割り当てを終了させることが可能である。
【００１９】
ＮＣＢチャネルは、所与の持続時間にわたって或る特定のＷＴＲＵ１２０に割り当てられることが可能である。持続時間は、ＷＴＲＵ１２０が、そのＮＣＢチャネルを利用する時間のサブセットであることが可能であり、あるいはＷＴＲＵ１２０に、ＮＣＢチャネルの使用に関する周期的間隔が割り当てられることが可能である。また、前述の割り当ての任意の組合せが利用されることが可能であり、さらに持続時間および／または周期的動作は、割り当てられる物理リソースが、複数のＷＴＲＵ１２０の間で時間多重化されることを含むことが可能であることにも留意されたい。
【００２０】
無線通信システム１００は、ＮＣＢチャネルを設定する際にいくつかの特性を利用することができる。例えば、ＮＣＢチャネルは、本明細書で以下にすべて説明される、タイミングアドバンス、測定値報告、ＵＬ物理リソース要求、ＤＬリソーススケジューリングに関する情報を提供すること、キープアライブハートビート、ＨＡＲＱ（混成自動再送要求）フィードバック、および／またはＭＡＣ（メディアアクセス制御）層シグナリングまたはＲＲＣ（無線リソース制御）層シグナリングなどの機能をサポートするように設定されることが可能である。さらに、ＮＣＢチャネルは、機能の組合せをサポートするように設定されることが可能である。例えば、スケジューリング要求を実行する或る特定のＷＴＲＵ１２０が、測定値報告も同時に提供している、またはタイミングアドバンスを実行する同期バーストも同時に提供していることが可能である。したがって、これらの機能の任意の組合せが、一般的なシグナリング手続きにおいて実行されることが可能である。したがって、任意の数の機能が、構成されたＮＣＢチャネルで同時に実行されることが可能である。別の実施形態では、周期的ＮＣＢチャネルが、ＵＬ伝送が全く行われていなかった所定の周期の後に続いて設定されることが可能である。
【００２１】
さらに、ＶｏＩＰ（ボイスオーバＩＰ）またはインターネットゲームなどのサービスタイプ、ＷＴＲＵ１２０上で現在、活性であるサービスに関するＱｏＳ（サービス品質）要件、ならびにそれらのサービスの活動レートが、利用されることが可能である。
【００２２】
また、ＮＣＢチャネルの構成は、ＦＤＭ（周波数分割多重化）を介するなどして、ＮＣＢチャネルを周波数領域において多重化することを含むことも可能である。また、ＮＣＢチャネルは、拡散符号を使用することによって符号領域において、時間領域において、さらに、ＳＤＭＡ（空間分割多重化）技術または他のＭＩＭＯ技術を使用して空間領域において多重化されることも可能である。さらに、ＮＣＢチャネルは、以上の多重化技術の任意の組合せによって多重化されることも可能である。
【００２３】
このようにして、ＮＣＢチャネルによって利用される物理リソースは、様々な時点で複数のＷＴＲＵ１２０によって使用されるように、いずれの特定の期間中にもそれらのＷＴＲＵ１２０によって競い合われることなしに、設定されることが可能である。例えば、ＮＣＢチャネルは、或る特定の周期性および／または持続時間に関してＷＴＲＵ1に割り当てられることが可能であり、別の周期性および／または持続時間に関してＷＴＲＵ2に割り当てられることが可能である。したがって、ＮＣＢチャネルは、通常、或る特定の時点において或る特定のＷＴＲＵ１２０に専用であるが、様々な期間にわたって複数のＷＴＲＵ１２０の間で共有される。
【００２４】
図３をさらに参照すると、ＮＣＢチャネル割り当ては、無線通信システム１００におけるＷＴＲＵ１２０に、これらのＷＴＲＵ１２０が通信しているｅＮＢ１１０によって伝送される（ステップ３２０）。図１に示される例において、ｅＮＢ1は、ＮＣＢチャネル割り当てをＷＴＲＵ1、ＷＴＲＵ2、およびＷＴＲＵ3に伝送するのに対して、ｅＮＢ2は、ＮＣＢチャネル割り当てをＷＴＲＵ4に伝送する。この伝送、または通信は、ＤＬ（ダウンリンク）共通制御チャネルシグナリング、またはＷＴＲＵ１２０の間のＤＬ共有チャネルにマップされた専用制御チャネル信号の中に含められることが可能である。
【００２５】
代替として、ＮＣＢチャネルは、ＤＬ共通制御チャネルによって、他のＵＬ（アップリンク）共有チャネル割り当てとして割り当てられることも可能である。さらに、ＮＣＢチャネルが、ユーザデータ伝送のために使用されるＵＬ共有チャネルとは別個の制御チャネルである場合、ＤＬ共有チャネルにマップされた論理制御チャネルが利用されることも可能である。
【００２６】
図４は、本発明の或る実施形態による、複数のＷＴＲＵ１２０へのＮＣＢチャネル（４３０、４４０、および４５０として示される）の割り当てを示す例示的な時間周波数チャート４００である。特に、ＮＣＢチャネル４３０は、ＷＴＲＵ1に専用であることが可能であり、ＮＣＢチャネル４４０は、ＷＴＲＵ2に専用であることが可能であり、ＮＣＢチャネル４５０は、ＷＴＲＵ3に専用であることが可能である。したがって、この例において、ＷＴＲＵ1は、ＮＣＢチャネル４３０上でｅＮＢ1にアクセスし、ＷＴＲＵ2は、ＮＣＢチャネル４４０上でｅＮＢ1にアクセスし、ＷＴＲＵ3は、ＮＣＢチャネル４５０上でｅＮＢ1にアクセスして、ＷＴＲＵ１２０は、ｅＮＢ１１０へのアクセスを競い合わなくてもよい。
【００２７】
図３に示されるとおり、ＮＣＢチャネルの割り当ては、無線通信システム１００によって解析されて（ステップ３３０）、最適な割り当てが確実にされる。例えば、無線通信システム１００は、現在、割り当てられているＮＣＢチャネルが、アイドルのままであった時間、またはシステム１００における様々なＷＴＲＵ１２０のＱｏＳ要件を解析することができる。代替として、システム１００は、チャネル割り当てシグナリングを受信すると、ＮＣＢチャネルが再設定されるべきことを判断して、データ容量が、増加される、または低減される必要がある可能性がある。システム１００が、この解析に基づいて、再設定または再割り当てが必要であると判断した場合（ステップ３４０）、システム１００は、ＮＣＢチャネルの割り当てを再設定し、更新されたＮＣＢチャネル割り当てを、システムにおけるＷＴＲＵ１２０に伝送することができる（ステップ３５０）。
【００２８】
図５は、本発明による、ＮＣＢチャネルを使用してタイミングアドバンスを判断するための方法５００の流れ図である。ステップ５１０で、ＷＴＲＵ１２０が、ＷＴＲＵ１２０に割り当てられたＮＣＢチャネルを介して、同期バーストをｅＮＢ１１０に伝送する。この同期バーストは、特定のトリガイベントに基づいて、周期的に、または動的に伝送されることが可能である。タイミングアドバンスは、信号伝搬遅延を基準とし、さらに最大ＷＴＲＵ速度が、知られているので、タイミングアドバンスバーストの周期性要件が、計算され、ＮＣＢチャネルの構成された周期性と合わせられることが可能である。好ましくは、同期バーストは、ＮＣＢチャネルが、その特定のＷＴＲＵ１２０に関して存在する時間間隔に対して調整される。
【００２９】
ｅＮＢ１１０は、ＷＴＲＵ１２０から同期バーストを受信し、タイミング推定を実行して、ＷＴＲＵ１２０とｅＮＢ１１０の間の物理的同期を維持するのにＴＡ（タイミングアドバンス）調整が必要とされているか否かを判断する（ステップ５２０）。ＴＡ調整が必要とされる場合（ステップ５２０）、ｅＮＢは、ＴＡコマンドを、その特定のＷＴＲＵ１２０に伝送する（ステップ５３０）。このＴＡコマンドは、ＤＬ共通制御チャネル上、またはその特定のＷＴＲＵ１２０に割り当てられたＤＬ共有チャネルにマップされた制御チャネルで送信されることが可能である。
【００３０】
周期的ＮＣＢチャネルは、ＵＬ伝送が全く行われていなかった所定の周期の後に続いて設定されることが可能であるので、ＮＣＢチャネルは、ＵＬ非活動の周期中に動的に割り当てられて、または確立されて、同期が維持されることが可能である。非活動の周期中にＮＣＢチャネルとの同期を維持することにより、伝送は、ＱｏＳ要件が、より良好に維持されることを可能にする、より短い待ち時間で再開されることが可能である。
【００３１】
図６は、本発明の別の実施形態による、ＮＣＢチャネルを使用してＤＬスケジューリング変更を判断するための方法６００の流れ図である。ＷＴＲＵ１２０が、ＮＣＢチャネルを介してバーストをｅＮＢ１１０に伝送して、ＤＬチャネル品質測定値を報告する（ステップ６１０）。ｅＮＢ１１０が、これらのチャネル品質測定値を受信すると、ｅＮＢ１１０は、これらの測定値を解析して、ＤＬスケジューリングの変更または調整が行われる必要があるか否かを判断する（ステップ６２０）。ＤＬチャネル品質測定値は、トリガイベントに基づいて周期的に、または動的に報告されることが可能である。好ましくは、チャネル品質報告は、ＮＣＢチャネルの構成された割り当てと同時に行われる。ＷＴＲＵ測定値報告のためにＮＣＢチャネルを使用することにより、物理リソースのより効率的な使用がもたらされるとともに、ＲＡＣＨの使用、またはこの目的でＵＬ共有チャネルを動的に要求することと比べて、待ち時間がより短いＵＬ情報シグナリングが提供される。ＤＬスケジューリング変更が必要とされる場合（ステップ６３０）、ｅＮＢ１１０は、新たなＤＬチャネルスケジューリング割り当てをＷＴＲＵ１２０に伝送する（ステップ６４０）。
【００３２】
図６に示される実施形態において、ＮＣＢチャネルは、ＵＬ測定値報告のために周期的に設定される、またはイベントによってトリガされることが可能である。したがって、前述したとおり、ＮＣＢチャネルの、この使用は、タイミングアドバンス、スケジューリング要求、測定値報告などの、ＮＣＢチャネルの他の同時の機能または使用と同時に行われることが可能である。
【００３３】
図７は、本発明の別の実施形態による、ＮＣＢチャネルを使用してＵＬリソースを要求する方法７００の流れ図である。ステップ７１０で、１つまたは複数のＷＴＲＵ１２０が、ＵＬチャネルアクセスに関するスケジューリング要求を、これらのＷＴＲＵのために構成され、割り当てられた専用のＮＣＢチャネルで伝送する。この実施形態において、ＮＣＢチャネルは、スケジューリング要求のサポートのために周期的に設定される、またはトリガされることさえ可能である。さらに、スケジューリング要求が行われることは、タイミングアドバンス、チャネル測定値報告などの、他のＮＣＢチャネル使用と同時に生じることが可能である。
【００３４】
図４を再び参照すると、図７のステップ７１０における伝送される要求は、ＵＬ物理リソースの割り当てを要求する、それぞれのＮＣＢチャネル（４３０、４４０、または４５０）上でＷＴＲＵ１２０の１つによって伝送されるバーストであることが可能であり、このバーストの存在自体が、その特定のＷＴＲＵ１２０に関するリソース割り当て要求を示す。代替として、このバーストは、例えば、リソース割り当てが必要とされるか否かを示す「０（ゼロ）」または「１（一）」などの、１ビットの情報だけを含むことが可能な指示であってもよい。また、このバーストは、その特定のＷＴＲＵ１２０が伝送する必要があるＵＬデータの量、そのデータの優先度、ＱｏＳ、待ち時間要件、ＢＬＥＲ要件などの、リソース割り当て要求と関係する情報を含むことも可能である。
【００３５】
ＮＣＢは、指定された持続時間を有する、または有さない周期的動作で設定されることが可能である。好ましくは、ＵＬチャネル割り当て要求は、ＮＣＢチャネルの周期的動作と同時に行われる。緊急のＵＬリソース要求が要求され、ＮＣＢが利用可能でない場合、ＲＡＣＨが使用されることが可能である。このＵＬリソース要求メソッドは、タイミングアドバンスメソッド５００、または測定値報告メソッド６００と同時に行われることが可能である。これらの場合において、ＮＣＢチャネルは、共通ＵＬ伝送において複数の目的を提供する。
【００３６】
図７に示されるとおり、ＵＬリソース要求に基づいて、リソースの適切な割り当てが、判断され、ｅＮＢ１１０が、ＵＬ共有アクセス許可を、１つまたは複数のＷＴＲＵ１２０に、ＤＬ共通制御チャネルで伝送する（ステップ７２０）。
【００３７】
例として、図８は、図７の方法７００のステップ７２０による、物理リソースの割り当てを示す例示的な時間周波数チャート８００である。図８は、割り当てられたリソース部分８３０、および割り当てられたリソースブロック部分８４０を含む時間周波数チャート８００である。この例において、割り当てられたリソース部分８３０は、ＷＴＲＵ1に対するリソース割り当て（８３１）、ＷＴＲＵ2に対するリソース割り当て（８３２）、およびＷＴＲＵ3に対するリソース割り当て（８３３）を示す。このように、リソース割り当ては、ＤＬ伝送におけるアクセス許可に関して利用されるリソースに基づいて、ＷＴＲＵ１２０によって暗黙に決定されることが可能である。
【００３８】
代替として、リソース割り当て８３１、８３２、および８３３は、割り当てられたリソースブロック部分８４０の中の割り当てられたリソースブロックに対応してもよい。例えば、図８を再び参照すると、リソース割り当て８３１は、ＷＴＲＵ1に割り当てられた単一のリソースブロック８４４に対応する。しかし、リソース割り当て８３２は、ＷＴＲＵ2に割り当てられた３つのリソースブロック８４５に対応するのに対して、リソース割り当て８３３は、ＷＴＲＵ3に割り当てられた２つのリソースブロック８４６に対応する。図８に示されるリソースブロック割り当ては、例示的であり、任意の特定のリソース割り当てが、単一のリソースブロック、または複数のリソースブロックに対応することが可能であることに留意されたい。リソースブロックに割り当てられた特定のＷＴＲＵ１２０に関するＩＤ（識別子）が、いずれのリソースブロックが、そのＷＴＲＵ１２０に属するかをＷＴＲＵ１２０に対して特定するように含められることが可能である。代替として、ＤＬ制御チャネルは、複数のＷＴＲＵ１２０に共通であることが可能である。
【００３９】
いずれにしても、リソース割り当ては、ＷＴＲＵ１２０に対して、そのＷＴＲＵ１２０にリソースが割り当てられている周期、ならびにその割り当てがどこに存在するかについて特定される。例えば、いずれのリソースブロックが、或る特定のＷＴＲＵ１２０に割り当てられているかが、ＷＴＲＵ１２０に特定される。
【００４０】
特定のＷＴＲＵ１２０が、ＤＬにおいて共有チャネルアクセス許可を受信すると、これらのＷＴＲＵ１２０は、割り当てられたチャネルまたはリソースブロックを介して伝送する（ステップ７３０）。
【００４１】
さらに別の実施形態では、ＮＣＢチャネルは、キープアライブハートビート（keep-alive heartbeat）のために利用されることが可能である。例えば、ＷＴＲＵ１２０は、システムによって利用されるＮＣＢチャネルを介して周期的なキープアライブ信号を伝送して、ＷＴＲＵ１２０とｅＮＢ１１０の間の無線リンクの障害を検出する。このようにして、システムは、この特定のＷＴＲＵ１２０に対する失われた接続があれば、その接続を復元するのに要求される措置を講じることができるとともに、ＷＴＲＵ１２０に割り当てられたリソースを回復することができる。さらに、他の様々なＮＣＢチャネルの機能および用法の場合と同様に、キープアライブハートビートに関するシグナリングは、ＵＬチャネル要件が一致する他のＮＣＢチャネル機能と組み合わされることが可能である。キープアライブ信号の目的で、同様のＮＣＢチャネルが、ＤＬにおいて割り当てられて、ＷＴＲＵが、リンク障害の後に要求される適切な措置を行うことができるようにすることが可能である。
【００４２】
別の実施形態において、ＮＣＢチャネルは、ＨＡＲＱフィードバックのために利用されることが可能である。例えば、ＨＡＲＱ伝送に応答して、ＮＣＢチャネルは、肯定的な（成功）確認応答（ＡＣＫ）または否定的な（不成功）確認応答（ＡＣＫ）の伝送のために利用されることが可能である。さらに、プロセス番号、またはＨＡＲＱ伝送を調整するのに使用される他の任意のＨＡＲＱパラメータが、ＨＡＲＱ方法に依存して、ＮＣＢチャネルを介して伝送されることが可能である。ＮＣＢチャネルは、周期的フィードバックが、ＮＣＢチャネルの周期的構成とそろえられることが可能な同期ＨＡＲＱ動作の場合に、特に有用である可能性がある。
【００４３】
別の代替の実施形態では、ＮＣＢチャネルは、ＭＡＣシグナリング、ＲＲＣシグナリング、および／または少量のユーザデータのために利用されることが可能である。さらに、ＭＡＣ層動作および／またはＲＲＣ層動作の調整が、ＮＣＢチャネルを介して達せられることが可能である。これらの場合において、知られている周波数を有する手続きが、ＮＣＢチャネルにマップされて、物理リソースの使用が最適化されることが可能である。また、ＷＴＲＵ１２０は、割り当てられたＮＣＢチャネルで少量のデータを伝送することもできる。このように、ＮＣＢチャネルは、共有チャネル、または他の代替のチャネルが利用可能でない／割り当てられていない場合に、ＷＴＲＵ１２０によって、少量のユーザデータを伝送するのに使用されることが可能である。ＮＣＢチャネルでユーザデータを許すことにより、伝送待ち時間が短縮され、ＱｏＳが向上する。
【００４４】
周波数選択性フェージングに対する回復力（ｒｅｓｉｌｉｅｎｃｅ）をもたらすために、ＵＬ  ＮＣＢチャネルは、ＯＦＤＭＡ（直交周波数分割多元接続）システムまたはＳＣ−ＦＤＭＡ（ＳＣ（単一搬送波）ＦＤＭＡ）システムなどの、ＸＦＤＭＡシステムにおけるいくつかのサブチャネルを含むことが可能である。ＸＦＤＭＡシステムの１つのサブフレームの中に、ＳＢ（短いブロック）とＬＢ（長いブロック）とが存在する。ＳＢは、通常、基準信号を伝送するのに使用され、ＬＢは、通常、データパケットを伝送するのに使用される。基準信号は、或る特定のＷＴＲＵ１２０に関する１つのＯＦＤＭサブフレームの中のチャネルレイアウトの完全なビューを提供し、周波数選択性フェージングの深刻度を割り出すチャネル測定のために利用されることも可能である。したがって、基準信号は、ＮＣＢチャネル割り当ての周波数ダイバーシチがどの程度必要であるかを判断するのに使用されることが可能である。
【００４５】
図９は、本発明による、複数のサブチャネルを含むシステムにおける周波数ダイバーシチ（ｆｒｅｑｕｅｎｃｙ  ｄｉｖｅｒｓｅ）ＮＣＢチャネル割り当てを示す例示的なブロック図９００である。例えば、図９に示されるとおり、ＷＴＲＵ1およびＷＴＲＵ2に対するＮＣＢチャネル割り当てが、単一のリソースブロック内、または或るリソースブロックの一部分の中に存在することが可能な複数のサブチャネルにわたって拡散されて示される。すると、ＮＣＢチャネルは、ＵＬチャネル測定値に基づいて、分散された仕方で割り当てられる。
【００４６】
さらなる効率の良さが、或る特定のＷＴＲＵ１２０に関してリソースが変更されるＮＣＢチャネルの利用において達せられることが可能である。例えば、ＮＣＢリソース割り当ては、事前設定の時間ホッピングパターンおよび／または周波数ホッピングパターンに応じて変更されることが可能である。非常に少量のチャネルリソースしか有さないＮＣＢチャネルは、そのＮＣＢチャネルが、周波数領域において可能な限り広く拡散された場合でさえ、良好な周波数ダイバーシチを有さない可能性がある。したがって、時間ホッピングおよび／または周波数ホッピングを適用することにより、ダイバーシチがさらに向上されて、ＮＣＢチャネルが、受信機側で適切に受信されることが確実にされることが可能である。
【００４７】
図１０は、本発明の実施形態による、時間−周波数ホッピングＮＣＢチャネル割り当てを示す例示的な時間周波数チャート１０００である。リソースが、或る特定のＷＴＲＵ１２０に割り当てられる、異なるサブフレームの中で、ＮＣＢチャネルに関するリソースの周波数割り当ては、サブフレームにわたって変更される。この周波数割り当て変更は、ＮＣＢ割り当て段階中に事前設定される、時間領域および／または周波数領域におけるホッピングパターンに基づく。このことは、ＮＣＢチャネルの物理的実現のための別の代替の実施形態である。周波数／タイミングホッピングパターンは、或る特定のＷＴＲＵ１２０に対するＮＣＢチャネル割り当てをシグナリングして、そのＷＴＲＵ１２０が、そのホッピングパターンに応じて、そのＮＣＢチャネルを使用して伝送することができるようにする際の、重要なメッセージである。同様に、ｅＮＢ１１０も、調整された仕方で同一のパターンに従うことにより、シグナリングを受信することができる。
【００４８】
ＮＣＢチャネルは、ｅＮＢ１１０が、制御メッセージをＷＴＲＵ１２０に伝送することによって、さらに設定されることが可能である。例えば、ｅＮＢ１１０は、副搬送波、空間（アンテナビーム）、スロット、または符号と関係するリソースメッセージを伝送することができる。さらに、ｅＮＢ１１０は、ＮＣＢチャネルが割り当てられたＷＴＲＵ１２０に、規定されたホッピングシーケンスセットのインデックスなどのホッピングシーケンスを伝送することができる。
【００４９】
さらなる実施形態において、ＮＣＢチャネルは、ＲＴ（リアルタイム）サービスとＮＲＴ（非リアルタイム）サービスの両方と一緒に割り当てられて、サービスに関する動的スケジューリング、半動的スケジューリング、永久スケジューリング、または半永久スケジューリングを助けることが可能である。
【００５０】
ＮＲＴサービスに関して、ＮＣＢチャネルは、動的スケジューリングをサポートするように割り当てられることが可能である。例えば、ＮＣＢチャネルは、タイミングアドバンス、周期的測定値報告、ＵＬ物理リソース要求、ＵＬトラフィックステータス報告、ＤＬリソーススケジューリングに関する情報を提供すること、ＨＡＲＱフィードバックおよび／またはＭＡＣ／ＲＲＣ層シグナリングなどのために使用されることが可能である。動的スケジューリングまたは半動的スケジューリングをサポートするＮＣＢチャネルは、１つのＷＴＲＵに関するＮＲＴサービスの動的スケジューリングまたは半動的スケジューリングの始めに、またはこのスケジューリングの途中に設定されることが可能である。また、ＮＣＢチャネルは、ＷＴＲＵ移動性またはチャネル条件などの状況が変化するにつれ、終了させられる、変更される、または延長されることが可能である。
【００５１】
一部の特定のアプリケーションに関するＮＣＢチャネルは、ＮＣＢのスケジューリング割り当ての始めから一貫した周期性を有することが可能である。代替として、他の特定のアプリケーションに関するＮＣＢチャネルは、各バースト性の伝送の後の或る時点で周期性を開始してもよい。
【００５２】
例えば、始めから一貫した周期性を有する場合において、タイミングアドバンスおよび測定値報告は、正確なスケジューリング決定をサポートする継続的な報告を要求する可能性がある。しかし、ＨＡＲＱ  ＡＣＫ／ＮＡＫフィードバックは、必ずしも、スケジューリングの始めから周期性を維持する必要はなく、したがって、ＮＣＢチャネルは、１つのバースト性の伝送からいくらか時間が経ってから、受信の成功が宣言されない限り、数回にわたって開始することが可能である。
【００５３】
ＮＣＢチャネルの持続時間は、割り当てられたライフサイクルが期限切れになる前に終了させられる、またはシステムデマンドに基づいて延長されることが可能である。既存のＮＣＢの終了は、ＲＲＣメッセージ、ＭＡＣシグナリング（ＭＡＣヘッダなどの）または層１もしくは層２（Ｌ１／Ｌ２）のシグナリングを介するｅＮＢ１１０からの指示を介してシグナリングされることが可能である。一例では、この指示は、単に「ＯＦＦ（０）」信号であることが可能である。
【００５４】
ＮＣＢチャネル割り当ての終了は、明示的にシグナリングされることも、暗黙にシグナリングされることも可能である。例えば、音声無音期間（ｖｏｉｃｅ  ｓｉｌｅｎｔ  ｐｅｒｉｏｄ）の終わりにおいて、ＷＴＲＵ１２０が、音声活動変化指示を、ＮＣＢチャネルを介してｅＮＢ１１０に送る。次に、ｅＮＢ１１０は、音声活動に関する新たな永久ＵＬ無線リソースを、ＤＬスケジューリングチャネルを介して割り当てる。ＤＬスケジューリングチャネルでＵＬリソース割り当てを受信すると、ＷＴＲＵ１２０は、既存のＮＣＢチャネル割り当ての終了を暗黙に検出することができる。代替として、この終了をシグナリングする１つの明示的な指示が、ｅＮＢ１１０からＷＴＲＵ１２０に送られることも可能である。
【００５５】
ＮＣＢチャネルの延長は、前の割り当てと実質的に同一の持続時間にわたっても、より長い、またはより短い、異なる持続時間にわたってもよい。また、この延長は、周波数ホッピングなどの、新たな時間割り当てパターンおよび周波数割り当てパターンの構成を含むことも可能である。
【００５６】
ＮＣＢチャネルの周期性は、ＮＣＢチャネルのアプリケーションに基づいて決定されることが可能である。例えば、ＷＴＲＵの高い移動性のシナリオにおいて、ＵＬタイミング維持をサポートする高い周期性のＮＣＢチャネルが、割り当てられなければならない。また、測定値レポートが、どれだけ頻繁にｅＮＢ１１０に送られるべきかについても、ＮＣＢチャネルのアプリケーションに基づいて決定される。
【００５７】
図１１は、本発明の実施形態による、ＷＴＲＵに関する異なるＮＣＢチャネル要件を示す例示的な図である。図１１を参照すると、複数のＮＣＢチャネルが、異なるスケジューリング目的で或る特定のＷＴＲＵ１２０に同時に割り当てられることが可能である。これらの異なるＮＣＢチャネルは、異なる構成を有することが可能である。例えば、とりわけ、ＮＣＢチャネル周期性およびチャネル容量が、異なる要件を満たすように設定されることが可能である。
【００５８】
音声無音（無通話）期間において、ｅＮＢ１１０に対して、ＵＬタイミングを維持し、音声活動レポートを送信し、測定値レポートを送信し、ＵＬスケジューリング要求を送信し、さらに音声ＳＩＤ（無音指示検出）などを送信するのに使用されるＮＣＢチャネルが、存在することが可能である。しかし、ＵＬにおけるＳＩＤパケットに関する周期性は、他の機能に要求される周期性とは異なることが可能な、１６０ｍｓ（ミリ秒）毎である。例えば、ＵＬタイミングアドバンス機能に関する周期性は、ＳＩＤを送信することに関する周期性より短いことも、長いことも可能である。また、ＳＩＤパケットのために使用される無線リソースと、他のＵＬユーティリティ目的で使用される無線リソースとは異なり、このことは、やはり、異なるＮＣＢチャネル構成を要求する。したがって、異なるシステム要件に関する異なるＮＣＢチャネル構成およびＮＣＢチャネル割り当てが、要求されることが可能である。他方、同様のリソース要件、および同様の周期性要件を有するアプリケーションは、１つのＮＣＢチャネル構成、および１つのＮＣＢチャネル割り当てにグループ化されることが可能である。
【００５９】
さらに、１つの周期性を有するＮＣＢチャネルが割り当てられる場合に、１つのＷＴＲＵに関して異なるアプリケーション要件が存在することが可能である。この場合、そのＮＣＢチャネルは、１つのＮＣＢ割り当て内の異なる間隔に関して異なる無線リソース割り当てを有して設定されることが可能である。例えば、ＳＩＤパケット間隔が、例えば、１６０ミリ秒毎に、ＵＬスケジューリング要求、タイミング維持、および測定値報告などの他のＵＬ機能と同時に生じることが可能である。しかし、１６０ミリ秒間隔において、追加のＳＩＤパケットのニーズに対応するのに必要とされる、さらなる無線リソースが存在する場合、ｅＮＢ１１０は、１６０ミリ秒間隔において、さらなる無線リソースを割り当て、非１６０ミリ秒間隔において、より少ないリソースを割り当てることができる。そうする際、ｅＮＢ１１０は、必ずしも、すべての異なるシナリオに対応するようにすべてのＮＣＢチャネル間隔に最大限の無線リソースを割り当てる必要はなく、その結果、リソース利用が、はるかに効率的になる。
【００６０】
さらに、ＮＣＢチャネルは、１つの基地局から別の基地局へのハンドオーバ中に維持されなければならない。この目的で、ソース基地局は、ターゲット基地局とシグナリングを交換して、ＷＴＲＵ１２０がハンドオーバされるターゲットセル内のＷＴＲＵにＮＣＢチャネルを割り当てる。このことは、ソースセルにおける共通制御チャネル、または特定のＷＴＲＵ１２０に割り当てられて、ターゲットセルＮＣＢチャネル情報を、その特定のＷＴＲＵ１２０に伝える共有チャネルを介する伝送によって達せられることが可能である。この情報は、ターゲットセルにおけるＮＣＢチャネルリソース、ターゲットセルにおけるホッピングパターン、またはソースセルとターゲットセルの間のタイミング差などのタイミングアドバンスを含むことが可能である。この場合におけるセル間のタイミング差は、システムによって計算されて、ソース基地局またはターゲット基地局によって間もなくハンドオーバされるＷＴＲＵ１２０に伝送されることが可能である。
【００６１】
本発明は、所望に応じて、任意のタイプの無線通信システムにおいて実施されることが可能である。例として、本発明は、任意のタイプの８０２型システム、ＸＦＤＭＡ、ＳＣ−ＦＤＭＡ、ＯＦＤＭＡ、Ｅ−ＵＴＲＡ、ＬＴＥ，または他の任意のタイプの無線通信システムにおいて実施されることが可能である。
【００６２】
さらに、本発明の特徴は、ソフトウェアによって実施されることが可能であり、ＩＣ（集積回路）に組み込まれること、または多数の互いに接続されるコンポーネントを含む回路内に設定されることが可能である。さらに、ｅＮＢ１１０およびＷＴＲＵ１２０のプロセッサ１１５／１２５はそれぞれ、前述した方法のいずれの方法のステップを実行するようにも設定されることが可能である。また、プロセッサ１１５／１２５は、受信機１１６／１２６、送信機１１７／１２７、およびアンテナ１１８／１２８をそれぞれ利用して、データを無線で送受信することを円滑にすることもできる。
【００６３】
本発明の特徴および要素は、特定の組合せで、好ましい実施形態において説明されるが、各特徴または各要素は、好ましい実施形態のその他の特徴、またはその他の要素を伴わずに、単独で使用されることが可能であり、あるいは本発明の他の特徴、または他の要素を伴って、または伴わずに様々な組合せで使用されることが可能である。本発明において提供される方法および流れ図は、汎用コンピュータまたはプロセッサによって実行されるようにコンピュータ可読記憶媒体に実体化されたコンピュータプログラム、ソフトウェア、またはファームウェアにおいて実施されることが可能である。コンピュータ可読記憶媒体の例には、ＲＯＭ（読み取り専用メモリ）、ＲＡＭ（ランダムアクセスメモリ）、レジスタ、キャッシュメモリ、半導体メモリデバイス、内蔵ハードディスクやリムーバブルディスクなどの磁気媒体、光磁気媒体、およびＣＤ−ＲＯＭディスクなどの光媒体、およびＤＶＤ（デジタルバーサタイルディスク）が含まれる。
【００６４】
適切なプロセッサには、例として、汎用プロセッサ、専用プロセッサ、従来のプロセッサ、ＤＳＰ（デジタルシグナルプロセッサ）、複数のマイクロプロセッサ、ＤＳＰコアに関連する１つまたは複数のマイクロプロセッサ、コントローラ、マイクロコントローラ、ＡＳＩＣ（特定用途向け集積回路）、ＦＰＧＡ（フィールドプログラマブルゲートアレイ）回路、任意の集積回路および／または状態マシンが含まれる。
【００６５】
ソフトウェアに関連するプロセッサが、ＷＴＲＵ（無線送信／受信ユニット）、ユーザ機器、端末装置、基地局、無線ネットワークコントローラ、または任意のホストコンピュータにおいて使用するための無線周波数トランシーバを実施するのに使用されることが可能である。ＷＴＲＵは、カメラ、ビデオカメラモジュール、テレビ電話機、スピーカホン、振動デバイス、スピーカ、マイクロホン、テレビトランシーバ、ハンズフリーヘッドセット、キーボード、Ｂｌｕｅｔｏｏｔｈモジュール、ＦＭ（周波数変調型）無線ユニット、ＬＣＤ（液晶ディスプレイ）ディスプレイユニット、ＯＬＥＤ（有機発光ダイオード）ディスプレイユニット、デジタル音楽プレーヤ、メディアプレーヤ、ビデオゲームプレーヤモジュール、インターネットブラウザ、および／または任意のＷＬＡＮ（無線ローカルエリアネットワーク）モジュールなどの、ハードウェアおよび／またはソフトウェアで実施されるモジュールに関連して使用されることが可能である。
【００６６】
（実施形態）
１．無線通信システムにおける複数のＷＴＲＵ（無線送信／受信ユニット）にＮＣＢ（非競合ベースの）チャネルを提供するための方法。
２．ｅＮＢ（ｅｖｏｌｖｅｄ  Ｎｏｄｅ−Ｂ）をさらに含む実施形態１の方法。
３．ＮＣＢチャネルを確立するステップをさらに含む先行するいずれかの実施形態におけるとおりの方法。
４．第１のＷＴＲＵにＮＣＢチャネルを割り当てるステップをさらに含む先行するいずれかの実施形態におけるとおりの方法。
５．ＮＣＢチャネルの再割り当てが判必要かどうかを判断するステップをさらに含む先行するいずれかの実施形態におけるとおりの方法。
６．再割り当て決定に基づいてＮＣＢチャネルを再割り当てするステップをさらに含む先行するいずれかの実施形態におけるとおりの方法。
７．第１のＷＴＲＵにＮＣＢチャネル割り当てを伝送するステップをさらに含む先行するいずれかの実施形態におけるとおりの方法。
８．ＮＣＢチャネルを設定するステップをさらに含む先行するいずれかの実施形態におけるとおりの方法。
９．ＮＣＢチャネルの持続時間が設定される先行するいずれかの実施形態におけるとおりの方法。
１０．ＮＣＢチャネルの持続時間が、無限の時間のために設定される先行するいずれかの実施形態におけるとおりの方法。
１１．ＮＣＢチャネルの持続時間が、或る期間のために設定される先行するいずれかの実施形態におけるとおりの方法。
１２．ＮＣＢチャネルが、周期的間隔で存在するように設定される先行するいずれかの実施形態におけるとおりの方法。
１３．ＮＣＢチャネルが、第１の周期的間隔で第１のＷＴＲＵに割り当てられ、第２の周期的間隔で第２のＷＴＲＵに再割り当てられる先行するいずれかの実施形態におけるとおりの方法。
１４．ＮＣＢチャネルの構成が、以下の機能、すなわち、タイミングアドバンス、測定値報告、物理リソース要求、スケジュール要求、キープアライブハートビート、ＨＡＲＱ（混成自動再送要求）フィードバック、およびＭＡＣ（メディアアクセス制御）／ＲＲＣ（無線リソース制御）層シグナリングの少なくとも１つに基づく先行するいずれかの実施形態におけるとおりの方法。
１５．ＮＣＢチャネルの構成が、機能、タイミングアドバンス、測定値報告、物理リソース要求、スケジュール要求、キープアライブハートビート、ＨＡＲＱフィードバック、およびＭＡＣ／ＲＲＣ層シグナリングの組合せに基づく先行するいずれかの実施形態におけるとおりの方法。
１６．ＮＣＢチャネルの構成が、無線通信システムにおける或る特定のＷＴＲＵ上で現在、活性であるサービスに関するＱｏＳ（サービス品質）要件、サービスのタイプ、および現在、活性のサービスの活動レートの少なくとも１つに基づく先行するいずれかの実施形態におけるとおりの方法。
１７．ＮＣＢチャネルが、低速共有チャネルとして設定される先行するいずれかの実施形態におけるとおりの方法。
１８．第１のＷＴＲＵが、ＮＣＢチャネルを介してデータを伝送するステップをさらに含む先行するいずれかの実施形態におけるとおりの方法。
１９．ＮＣＢチャネルが、物理チャネル制御フィールド内でシグナリングを提供するように設定される先行するいずれかの実施形態におけるとおりの方法。
２０．ＮＣＢチャネルが、ＭＡＣ（メディアアクセス制御）層内でシグナリングを提供するように設定される先行するいずれかの実施形態におけるとおりの方法。
２１．ＮＣＢチャネルが、ＲＲＣ（無線リソースコントローラ）層内でシグナリングを提供するように設定される先行するいずれかの実施形態におけるとおりの方法。
２２．ＮＣＢチャネルを多重化するステップをさらに含む先行するいずれかの実施形態におけるとおりの方法。
２３．ＮＣＢチャネルが、周波数領域において多重化される先行するいずれかの実施形態におけるとおりの方法。
２４．ＮＣＢチャネルが、ＦＤＭ（周波数分割多重化）を使用して多重化される先行するいずれかの実施形態におけるとおりの方法。
２５．ＮＣＢチャネルが、符号領域において多重化される先行するいずれかの実施形態におけるとおりの方法。
２６．ＮＣＢチャネルが、拡散符号を使用して符号領域において多重化される先行するいずれかの実施形態におけるとおりの方法。
２７．ＮＣＢチャネルが、時間領域において多重化される先行するいずれかの実施形態におけるとおりの方法。
２８．ＮＣＢチャネルが、空間領域において多重化される先行するいずれかの実施形態におけるとおりの方法。
２９．ＮＣＢチャネルが、ＳＤＭＡ（空間分割多重化）を使用して多重化される先行するいずれかの実施形態におけるとおりの方法。
３０．ＮＣＢチャネルを第２のＷＴＲＵに再割り当てするステップをさらに含む先行するいずれかの実施形態におけるとおりの方法。
３１．ＮＣＢチャネル割り当てを終了させるステップをさらに含む先行するいずれかの実施形態におけるとおりの方法。
３２．第１のＷＴＲＵが、ＮＣＢチャネル割り当てを終了させる先行するいずれかの実施形態におけるとおりの方法。
３３．ｅＮＢが、ＮＣＢチャネル割り当てを終了させる先行するいずれかの実施形態におけるとおりの方法。
３４．ＤＬ（ダウンリンク）共通制御シグナリングを介して第１のＷＴＲＵにＮＣＢチャネル割り当てを伝送するステップをさらに含む先行するいずれかの実施形態におけるとおりの方法。
３５．ＤＬ共有チャネルにマップされた専用制御チャネル信号を介して第１のＷＴＲＵにＮＣＢチャネル割り当てを伝送するステップをさらに含む先行するいずれかの実施形態におけるとおりの方法。
３６．ＮＣＢチャネルが、ＵＬ共有チャネル割り当てとしてＤＬ共通制御チャネルによって割り当てられる先行するいずれかの実施形態におけるとおりの方法。
３７．ＮＣＢチャネル割り当てを解析するステップをさらに含む先行するいずれかの実施形態におけるとおりの方法。
３８．変化するサービス要件タイプ（ｃｈａｎｇｉｎｇ  ｔｙｐｅ  ｏｆ  ｓｅｒｖｉｃｅ  ｒｅｑｕｉｒｅｍｅｎｔ）またはＱｏＳ要件のために再割り当てが必要であると決定するステップをさらに含む先行するいずれかの実施形態におけるとおりの方法。
３９．ＮＣＢチャネルが、或る特定の期間にわたってアイドルのままであるため再割り当てが必要であると決定するステップをさらに含む先行するいずれかの実施形態におけるとおりの方法。
４０．より大きいデータ容量、またはより小さいデータ容量の要件のために再割り当てが必要であると決定するステップをさらに含む先行するいずれかの実施形態におけるとおりの方法。
４１．無線通信システムのＷＴＲＵに再割り当て決定を伝送するステップをさらに含む先行するいずれかの実施形態におけるとおりの方法。
４２．第１のＷＴＲＵが、同期バーストまたは既存のデータパケットを、ＮＣＢチャネルを介してｅＮＢに伝送するステップをさらに含む先行するいずれかの実施形態におけるとおりの方法。
４３．ｅＮＢが、ＴＡ（タイミングアドバンス）調整が必要であるかどうかを判断するステップをさらに含む先行するいずれかの実施形態におけるとおりの方法。
４４．ｅＮＢが、ＴＡが必要であるかどうかの判断に応じて、第１のＷＴＲＵにＴＡ調整コマンドを伝送するステップをさらに含む先行するいずれかの実施形態におけるとおりの方法。
４５．ｅＮＢが、ｅＮＢと第１のＷＴＲＵの間の物理的同期を維持するためにＴＡ調整が必要とされると決定する先行するいずれかの実施形態におけるとおりの方法。
４６．ＴＡコマンドが、ＤＬ共通制御チャネルで第１のＷＴＲＵに伝送される先行するいずれかの実施形態におけるとおりの方法。
４７．ＴＡコマンドが、ＷＴＲＵの間のＤＬ共有チャネル割り当てにマップされた制御チャネルで伝送される先行するいずれかの実施形態におけるとおりの方法。
４８．同期バーストが、ＵＬ伝送が行われていなかった所定の周期の後に続いて伝送される先行するいずれかの実施形態におけるとおりの方法。
４９．第１のＷＴＲＵが、チャネル品質測定値を、ＮＣＢチャネルを介してｅＮＢに伝送するステップをさらに含む先行するいずれかの実施形態におけるとおりの方法。
５０．ｅＮＢが、チャネル品質測定値を解析するステップをさらに含む先行するいずれかの実施形態におけるとおりの方法。
５１．ｅＮＢが、スケジューリング変更が必要であるかどうかを判断するステップをさらに含む先行するいずれかの実施形態におけるとおりの方法。
５２．ｅＮＢが、スケジューリング変更が必要であるかどうかの判断に基づいて、新たなＤＬスケジューリング割り当てを第１のＷＴＲＵに伝送するステップをさらに含む先行するいずれかの実施形態におけるとおりの方法。
５３．ｅＮＢが、ＤＬ制御チャネルを介して新たなＤＬスケジューリング割り当てを伝送する先行するいずれかの実施形態におけるとおりの方法。
５４．第１のＷＴＲＵが、リソースを求める要求を、ＮＣＢチャネルを介して伝送するステップをさらに含む先行するいずれかの実施形態におけるとおりの方法。
５５．第１のＷＴＲＵが、ＤＬ共通制御チャネルを監視するステップをさらに含む先行するいずれかの実施形態におけるとおりの方法。
５６．無線通信システムによって第１のＷＴＲＵに対するリソースの割り当てを決定するステップをさらに含む先行するいずれかの実施形態におけるとおりの方法。
５７．ｅＮＢが、ＵＬ共有チャネルアクセス許可割り当てを、ＤＬ共通制御チャネルを介して第１のＷＴＲＵに伝送するステップをさらに含む先行するいずれかの実施形態におけるとおりの方法。
５８．第１のＷＴＲＵが、第１のＷＴＲＵに割り当てられたチャネルを介して伝送するステップをさらに含む先行するいずれかの実施形態におけるとおりの方法。
５９．ＵＬ共有チャネルアクセス許可割り当てが、ＤＬ共通制御チャネルを介する伝送におけるアクセス許可のために利用されるリソースに基づいて、第１のＷＴＲＵに暗示される先行するいずれかの実施形態におけるとおりの方法。
６０．ＵＬ共有チャネルアクセス許可割り当てが、第１のＷＴＲＵに明示的に通信される先行するいずれかの実施形態におけるとおりの方法。
６１．少なくとも１つのリソースブロックが、第１のＷＴＲＵに割り当てられているものとして第１のＷＴＲＵに通信される先行するいずれかの実施形態におけるとおりの方法。
６２．ＵＬ共有チャネルアクセス許可割り当てが、第１のＷＴＲＵに関するＩＤ（識別子）を含む先行するいずれかの実施形態におけるとおりの方法。
６３．複数のＷＴＲＵが、リソースを求める要求を、ＮＣＢチャネルを介して伝送し、ＤＬ共通制御チャネルを監視するステップをさらに含む先行するいずれかの実施形態におけるとおりの方法。
６４．複数のＷＴＲＵに対するリソースの割り当てを決定するステップをさらに含む先行するいずれかの実施形態におけるとおりの方法。
６５．ｅＮＢが、ＤＬ共通制御チャネルを介して、複数のＷＴＲＵにＵＬ共有チャネルアクセス許可割り当てを伝送するステップをさらに含む先行するいずれかの実施形態におけるとおりの方法。
６６．複数のＷＴＲＵが、それぞれの割り当てられたチャネルを介して伝送するステップをさらに含む先行するいずれかの実施形態におけるとおりの方法。
６７．ＮＣＢチャネルを介してｅＮＢにキープアライブ信号を伝送するステップをさらに含む先行するいずれかの実施形態におけるとおりの方法。
６８．或る特定のＷＴＲＵとｅＮＢの間の無線リンクの障害を検出するステップをさらに含む先行するいずれかの実施形態におけるとおりの方法。
６９．或る特定のＷＴＲＵとｅＮＢの間の失われた接続を復元するステップをさらに含む先行するいずれかの実施形態におけるとおりの方法。
７０．或る特定のＷＴＲＵに割り当てられたリソースを回復するステップをさらに含む先行するいずれかの実施形態におけるとおりの方法。
７１．ＨＡＲＱ（混成自動再送要求）伝送を受信するステップをさらに含む先行するいずれかの実施形態におけるとおりの方法。
７２．ＮＣＢチャネルを介してＡＣＫ（確認応答）を伝送するステップをさらに含む先行するいずれかの実施形態におけるとおりの方法。
７３．ＡＣＫが、肯定的なＡＣＫである先行するいずれかの実施形態におけるとおりの方法。
７４．ＡＣＫが、ＮＡＣＫ（否定的なＡＣＫ）である先行するいずれかの実施形態におけるとおりの方法。
７５．ＨＡＲＱ伝送が、ＮＣＢチャネルを介して伝送される先行するいずれかの実施形態におけるとおりの方法。
７６．ＮＣＢチャネルを介してプロセス番号を伝送するステップをさらに含む先行するいずれかの実施形態におけるとおりの方法。
７７．ＮＣＢチャネルを介してＨＡＲＱパラメータを伝送するステップをさらに含む先行するいずれかの実施形態におけるとおりの方法。
７８．ＮＣＢチャネルを介してＲＲＣシグナリングメッセージを多重化するステップをさらに含む先行するいずれかの実施形態におけるとおりの方法。
７９．ＮＣＢチャネルを介して少量のデータを伝送するステップをさらに含む先行するいずれかの実施形態におけるとおりの方法。
８０．ＮＣＢチャネルを介してＭＡＣ層動作を調整するステップをさらに含む先行するいずれかの実施形態におけるとおりの方法。
８１．第１のＷＴＲＵによる伝送のためにＮＣＢチャネルを設定するステップをさらに含む先行するいずれかの実施形態におけるとおりの方法。
８２．第１のＷＴＲＵにＮＣＢチャネルを割り当てるステップをさらに含む先行するいずれかの実施形態におけるとおりの方法。
８３．複数のサブチャネルにわたってＮＣＢチャネルを拡散させるステップをさらに含む先行するいずれかの実施形態におけるとおりの方法。
８４．複数のサブチャネルが、単一のリソースブロック内に存在する先行するいずれかの実施形態におけるとおりの方法。
８５．複数のサブチャネルが、リソースブロックの一部分の中に存在する先行するいずれかの実施形態におけるとおりの方法。
８６．第１のＷＴＲＵに対するＮＣＢチャネルの割り当てを変更するステップをさらに含む先行するいずれかの実施形態におけるとおりの方法。
８７．割り当てが、事前設定の時間シーケンスに従って変更される先行するいずれかの実施形態におけるとおりの方法。
８８．割り当てが、事前設定の周波数ホッピングシーケンスに従って変更される先行するいずれかの実施形態におけるとおりの方法。
８９．ｅＮＢが、第１のＷＴＲＵに制御メッセージを伝送するステップをさらに含む先行するいずれかの実施形態におけるとおりの方法。
９０．制御メッセージが、副搬送波と関係するリソースメッセージ、スロット情報、符号、およびホッピングシーケンスのいずれかを含む情報を含む先行するいずれかの実施形態におけるとおりの方法。
９１．ホッピングシーケンスが、第１のＷＴＲＵに関してＮＣＢチャネルが割り当てられている規定されたホッピングシーケンスセットのインデックスを含む先行するいずれかの実施形態におけるとおりの方法。
９２．無線通信システムが、ソースセル内のソース基地局と、ターゲットセル内のターゲット基地局とを含む先行するいずれかの実施形態におけるとおりの方法。
９３．ソース基地局が、間もなくハンドオーバされるＷＴＲＵにＮＣＢチャネルを割り当てるよう、ターゲット基地局にシグナリングするステップをさらに含む先行するいずれかの実施形態におけるとおりの方法。
９４．ターゲット基地局が、間もなくハンドオーバされるＷＴＲＵにＮＣＢチャネルを割り当てるステップをさらに含む先行するいずれかの実施形態におけるとおりの方法。
９５．ターゲット基地局によって割り当てられたＮＣＢチャネル割り当てをＷＴＲＵにシグナリングするステップをさらに含む先行するいずれかの実施形態におけるとおりの方法。
９６．ＮＣＢチャネル割り当てが、共通制御チャネルを介して、間もなくハンドオーバされるＷＴＲＵにシグナリングされる先行するいずれかの実施形態におけるとおりの方法。
９７．ＮＣＢチャネル割り当てが、ＷＴＲＵに割り当てられた共有チャネルを介して、間もなくハンドオーバされるＷＴＲＵにシグナリングされる先行するいずれかの実施形態におけるとおりの方法。
９８．間もなくハンドオーバされるＷＴＲＵにシグナリングされるＮＣＢチャネル割り当てが、ターゲットセルにおけるＮＣＢチャネルリソースと関係する情報を含む先行するいずれかの実施形態におけるとおりの方法。
９９．間もなくハンドオーバされるＷＴＲＵにシグナリングされるＮＣＢチャネル割り当てが、ターゲットセルにおけるホッピングシーケンスと関係する情報を含む先行するいずれかの実施形態におけるとおりの方法。
１００．間もなくハンドオーバされるＷＴＲＵにシグナリングされるＮＣＢチャネル割り当てが、タイミングアドバンスと関係する情報を含む先行するいずれかの実施形態におけるとおりの方法。
１０１．タイミングアドバンス情報が、ソースセルとターゲットセルの間のタイミング差を含む先行するいずれかの実施形態におけるとおりの方法。
１０２．ソース基地局が、ＮＣＢチャネル割り当てをＷＴＲＵにシグナリングする先行するいずれかの実施形態におけるとおりの方法。
１０３．ターゲット基地局が、ＮＣＢチャネル割り当てをＷＴＲＵにシグナリングする先行するいずれかの実施形態におけるとおりの方法。
１０４．タイミングアドバンス、測定値報告、ＵＬ物理リソース要求、ＤＬ（ダウンリンク）リソーススケジューリングに関する情報を提供すること、キープアライブハートビート、ＨＡＲＱフィードバック、およびＭＡＣ（メディアアクセス制御）層シグナリングまたはＲＲＣ（無線リソース制御）層シグナリングのいずれかを含む機能のためにＮＣＢチャネルを設定するステップをさらに含む先行するいずれかの実施形態におけるとおりの方法。
１０５．ＮＣＢチャネルを第１のＷＴＲＵに割り当てるステップをさらに含む先行するいずれかの実施形態におけるとおりの方法。
１０６．ＮＣＢチャネルの再割り当てが判必要かどうかを判断するステップをさらに含む先行するいずれかの実施形態におけるとおりの方法。
１０７．再割り当て決定に基づいてＮＣＢチャネルを再割り当てするステップをさらに含む先行するいずれかの実施形態におけるとおりの方法。
１０８．ＮＣＢチャネルが、以下の機能、すなわち、タイミングアドバンス、測定値報告、ＵＬ物理リソース要求、ＤＬリソーススケジューリングに関する情報を提供すること、キープアライブハートビート、ＨＡＲＱフィードバック、およびＭＡＣ／ＲＲＣ層シグナリングの任意の組合せのために設定される先行するいずれかの実施形態におけるとおりの方法。
１０９．ＮＣＢチャネルが、周期的に割り当てられる先行するいずれかの実施形態におけるとおりの方法。
１１０．ＮＣＢチャネルが、或る持続時間にわたって割り当てられる先行するいずれかの実施形態におけるとおりの方法。
１１１．ＷＴＲＵ非活動の周期を検出した後、ＮＣＢチャネルを再設定するステップをさらに含む先行するいずれかの実施形態におけるとおりの方法。
１１２．検出されたイベントに基づいてＮＣＢチャネルを再設定するステップをさらに含む先行するいずれかの実施形態におけるとおりの方法。
１１３．先行するいずれかの実施形態におけるとおりの方法を実行するように構成されたｅＮＢ。
１１４．受信機をさらに含む実施形態１１３のｅＮＢ。
１１５．送信機をさらに含む実施形態１１３〜１１４のいずれかにおけるとおりのｅＮＢ。
１１６．受信機および送信機と通信するプロセッサをさらに含む実施形態１１３〜１１５のいずれかにおけるとおりのｅＮＢ。
１１７．プロセッサが、ＮＣＢチャネルを確立して、割り当てるように設定される実施形態１１３〜１１６のいずれかにおけるとおりのｅＮＢ。
１１８．プロセッサが、或る特定のＷＴＲＵにＮＣＢチャネルの割り当てを伝送するように設定される実施形態１１３〜１１７のいずれかにおけるとおりのｅＮＢ。
１１９．プロセッサが、ＮＣＢチャネルが再割り当てされるべきかどうかを判断するように設定される実施形態１１３〜１１８のいずれかにおけるとおりのｅＮＢ。
１２０．プロセッサが、再割り当て判断に基づいてＮＣＢチャネルを再割り当てするように設定される実施形態１１３〜１１９のいずれかにおけるとおりのｅＮＢ。
１２１．プロセッサが、以下の機能、タイミングアドバンス、測定値報告、ＵＬ物理リソース要求、ＤＬリソーススケジューリングに関する情報を提供すること、キープアライブハートビート、ＨＡＲＱフィードバック、およびＭＡＣ／ＲＲＣ層シグナリングのいずれかに基づいて、ＮＣＢチャネルを設定するように設定される実施形態１１３〜１２０のいずれかにおけるとおりのｅＮＢ。
１２２．プロセッサが、機能、タイミングアドバンス、測定値報告、ＵＬ物理リソース要求、ＤＬリソーススケジューリングに関する情報を提供すること、キープアライブハートビート、ＨＡＲＱフィードバック、およびＭＡＣ／ＲＲＣ層シグナリングの組合せに基づいて、ＮＣＢチャネルを設定するようにさらに設定される実施形態１１３〜１２１のいずれかにおけるとおりのｅＮＢ。
１２３．プロセッサが、ＱｏＳ要件を解析するように設定される実施形態１１３〜１２２のいずれかにおけるとおりのｅＮＢ。
１２４．実施形態１〜１１２のいずれかにおけるとおりの方法を実行するように構成されたＷＴＲＵ。
１２５．受信機をさらに含む実施形態１２４のＷＴＲＵ。
１２６．受信機および送信機と通信するプロセッサをさらに含む実施形態１２４〜１２５のいずれかにおけるとおりのＷＴＲＵ。
１２７．プロセッサが、伝送のためのＮＣＢチャネルの割り当てを受信するように設定される実施形態１２４〜１２６のいずれかにおけるとおりのＷＴＲＵ。
１２８．プロセッサが、ＮＣＢチャネルで伝送するように設定される実施形態１２４〜１２７のいずれかにおけるとおりのＷＴＲＵ。
１２９．プロセッサが、ＮＣＢチャネルの再割り当てを受信するように設定される実施形態１２４〜１２８のいずれかにおけるとおりのＷＴＲＵ。
１３０．プロセッサが、ＮＣＢチャネルを介して同期バーストを伝送するように設定される実施形態１２４〜１２９のいずれかにおけるとおりのＷＴＲＵ。
１３１．プロセッサが、タイミング調整を実行するように設定される実施形態１２４〜１３０のいずれかにおけるとおりのＷＴＲＵ。
１３２．プロセッサが、ＮＣＢチャネルを介してｅＮＢにチャネル測定値を伝送するように設定される実施形態１２４〜１３１のいずれかにおけるとおりのＷＴＲＵ。
１３３．プロセッサが、ｅＮＢから更新されたスケジューリング割り当てを受信するように設定される実施形態１２４〜１３２のいずれかにおけるとおりのＷＴＲＵ。
１３４．プロセッサが、ＮＣＢチャネルを介してｅＮＢにリソース要求を伝送するように設定される実施形態１２４〜１３３のいずれかにおけるとおりのＷＴＲＵ。
【図１】
2014068374.tif 000003
【図２】
2014068374.tif 000004
【図３】
2014068374.tif 000005
【図４】
2014068374.tif 000006
【図５】
2014068374.tif 000007
【図６】
2014068374.tif 000008
【図７】
2014068374.tif 000009
【図８】
2014068374.tif 000010
【図９】
2014068374.tif 000011
【図１０】
2014068374.tif 000012
【図１１】
2014068374.tif 000013